(57)【要約】【課題】交換が容易で、かつ誤って外し難いヒューズ取り付け構造を有するカメラを提供することにある。【解決手段】電源基板１５と接続されるヒューズ基板２０を、カメラの通常使用時には外部から遮蔽されるカメラ本体の内部に配置し、かつ当該ヒューズ基板２０を交換するための開口部１２０を有するヒューズ取り付け構造が開示されている。【選択図】      図１
2005055696.tif 000002
【特許請求の範囲】
【請求項１】
カメラ内部に格納された電源装置と、
前記電源装置用の複数のヒューズが搭載され、前記電源装置に交換可能に設けられたヒューズユニットと、
カメラの通常使用時には外部から遮蔽される部分に、前記ヒューズユニットを挿脱するために設けられた開口部と、
前記開口部を開閉可能に保護するカバー部材と
を備えたことを特徴とするカメラ。
【請求項２】
前記開口部は、電池が交換可能に収容され、開閉可能な電池蓋によって内部が保護される電池収納室に設けられたことを特徴とする請求項１に記載のカメラ。
【請求項３】
前記開口部は、前記電池収納室の電池収納入り口近傍に設けられたことを特徴とする請求項２に記載のカメラ。
【請求項４】
前記開口部は、記録媒体が交換可能に収容され、開閉可能な媒体蓋によって内部が保護される媒体収納室に設けられたことを特徴とする請求項１に記載のカメラ。
【請求項５】
前記媒体蓋が、前記カバー部材を兼ねていることを特徴とする請求項３または請求項４のいずれか１項に記載のカメラ。
【請求項６】
前記電源装置に装着された前記ヒューズユニットは、当該ヒューズユニットの主面が記録媒体と略平行な方向になるように配置されていることを特徴とする請求項４に記載のカメラ。
【請求項７】
前記開口部は、交換レンズとの接続部でカメラ本体側のスペース部分に設けられたことを特徴とする請求項１に記載のカメラ。
【請求項８】
前記ヒューズユニットは、カメラ内部に設けられたＡＦセンサの下部に配置されたことを特徴とする請求項７に記載のカメラ。
【請求項９】
前記開口部は、交換レンズと電気的な接続が行われる接続端子の下部に設けられたことを特徴とする請求項７に記載のカメラ。
【請求項１０】
前記開口部は、ミラーボックスの周囲に設けられたことを特徴とする請求項７に記載のカメラ。
【請求項１１】
カメラ内部に格納された電源装置と、
前記電源装置用の複数のヒューズが搭載され、前記電源装置に交換可能に設けられたヒューズユニットと、
カメラ筐体外観に貼付される貼付部材によって遮蔽される部分に、前記ヒューズユニットを挿脱するために設けられた開口部と
を備えたことを特徴とするカメラ。
【請求項１２】
前記ヒューズは、チップ形状のヒューズであることを特徴とする請求項１から請求項１１の中でいずれか１項に記載のカメラ。
【請求項１３】
前記ヒューズユニットは、硬質基板を有することを特徴とする請求項１から請求項１２の中でいずれか１項に記載のカメラ。
【請求項１４】
前記ヒューズユニットは、前記電源装置に設けられたソケットに装着されることを特徴とする請求項１から請求項１３の中でいずれか１項に記載のカメラ。
【請求項１５】
前記ヒューズユニットは、前記電源装置に半田付けで固定されることを特徴とする請求項１から請求項１３の中でいずれか１項に記載のカメラ。
【請求項１６】
前記ヒューズユニットと前記電源装置の表面にはそれぞれ接続用の接点部および接点部近傍に取付け用開口が設けられ、
前記ヒューズユニットは、前記電源装置に重ねられ、前記取付け用開口を貫通して締結する締結部材によって、前記接点部同士が密着させるようにして締結されることを特徴とする請求項１から請求項１３の中でいずれか１項に記載のカメラ。
【請求項１７】
カメラ内部に格納された電源装置と、
前記電源装置に交換可能に装着され、前記電源装置用の複数のヒューズが搭載されたヒューズユニットと、
カメラの底面に、前記ヒューズユニットを挿脱するための設けられた開口部と、
前記開口部を開閉可能に保護するカバーと
を備えたことを特徴とするカメラ。
【請求項１８】
機器内部に格納された電源装置と、
前記電源装置に交換可能に装着され、前記電源装置用の複数のヒューズが搭載されたヒューズユニットと、
機器の通常使用時には外部に露出されない部分に、前記ヒューズユニットを挿脱するための設けられた開口部と、
前記開口部を開閉可能に保護するヒューズカバーと
を備えたことを特徴とする情報機器。
【発明の詳細な説明】
【技術分野】
【０００１】
本発明は、一般的にはカメラに関し、特に、電源装置に使用されるヒューズの取り付け構造に関する。
【背景技術】
【０００２】
従来、カメラなどの電子機器において、電源装置には過電流を防止するためのヒューズが設けられている。一般的に、ヒューズとしては、単品の取り扱いが容易なガラスヒューズが使用される。
【０００３】
ところで、ヒューズは交換を必要とすることがあるため、電子機器では、交換可能な取り付け構造が望ましい。このため、従来においても、ガラスヒューズを交換可能にした機器が提案されている（例えば、特許文献１，２を参照）
【特許文献１】特開平９−１５３３５２号公報
【特許文献２】実開平５−３１０８５号公報
【発明の開示】
【発明が解決しようとする課題】
【０００４】
近年のデジタルカメラでは、複数のヒューズを使用し、かつ小型化のためにチップヒューズを使用することが要求される。このようなヒューズにおいても、交換可能に取り付けることが望ましい。
【０００５】
また、前述の先行技術文献には、機器の外観にヒューズカバーが設けられて、このヒューズカバーを開閉することによりガラスヒューズを交換できる構造が提案されている。しかしながら、小型化が推進されているデジタルカメラなどの分野では、カメラの外観にヒューズカバーを設ける構造は、その分だけカメラの操作面が少なくなるため、好ましくない。また、機器の外観にヒューズカバーを設けると、誤って、ヒューズを外してしまうおそれもある。
【０００６】
そこで、本発明の目的は、交換が容易で、かつ誤って外し難いヒューズ取り付け構造を有するカメラを提供することにある。
【課題を解決するための手段】
【０００７】
本発明の観点は、例えばチップヒューズが搭載されたヒューズ基板からなるヒューズユニットをカメラの通常使用時には外部から遮蔽されるカメラ本体の内部に配置し、かつ当該ヒューズユニットを交換するための開口部を有するヒューズ取り付け構造に関する。
【０００８】
本発明の観点に従ったカメラは、カメラ内部に格納された電源装置と、前記電源装置用の複数のヒューズが搭載され、前記電源装置に交換可能に設けられたヒューズユニットと、カメラの通常使用時には外部から遮蔽される部分に、前記ヒューズユニットを挿脱するために設けられた開口部と、前記開口部を開閉可能に保護するカバー部材とを備えたものである。
【発明の効果】
【０００９】
本発明のカメラであれば、開口部を介してヒューズユニットを容易に交換できると共に、カメラの通常使用時には外部から遮蔽されるため、誤ってヒューズユニットを取り外すような事態を回避できる。
【発明を実施するための最良の形態】
【００１０】
（第１の実施形態）
図１は、本実施形態に関するカメラの底面から見た図である。図２は本実施形態に関するカメラの全体的外観を示す図である。
【００１１】
カメラは、図２に示すように、メモリカードなどの記録メディアを交換するためのカード蓋１を有する。このカード蓋１を開けると、撮影した画像を記録メディアに記録するために、記録メディアを挿抜するためのメディア挿入口が設けられている。カード蓋１は、当該メディア挿入口に対して、ゴミや異物の混入を防ぐために設けられている。
【００１２】
さらに、カメラは、グリップ部２、レリーズボタン３、鏡枠４、撮影レンズ５、ペンタ部６、表示パネル７、露出モードダイヤル８、及び露出値変更ダイヤル９を有する。
【００１３】
グリップ部２は、撮影時にカメラを構えて保持するための部分である。レリーズボタン３は、シャッターレリーズを指示するためのボタンである。鏡枠４は、カメラ本体から取り外し可能な構造である。ペンタ部６は、ペンタプリズムを格納する部分である。
【００１４】
表示パネル７は、カメラの露出モードや、露出値、その他カメラの撮影モードを表示する。露出モードダイヤル８は、プログラム露出モード、絞り優先露出モード、シャッター優先露出モード、マニュアル露出モードなどの露出モードを変更するためのダイヤルである。露出値変更ダイヤル９は、シャッタースピード値や、絞り値を変更するためのダイヤルである。
【００１５】
（電源装置の構造）
図１は、本実施形態の電源装置に関係する外観であり、カメラ本体を底面から見た図である。
【００１６】
図１（Ａ）に示すように、カメラの底面には、同図（Ｂ）に示す電池ボックス１０を装填するための電池室（電池収納室）１１が設けられている。電池室１１は、電池蓋１２により開閉されて、電池ボックス１０を収納する。電池ボックス１０は、例えば単三の電池１３を数本入れることが可能である。
【００１７】
電池室１１には電池接点１４が設けられている。電池接点１４は、収納された電池ボックス１０と、カメラ内部の電気回路に電気を供給するための電源基板１５とを電気的に接続する。電源基板１５は、同図（Ｃ）に示すように、ソケット１６を有し、当該ソケット１６によりヒューズユニット（以下ヒューズ基板）２０を挿脱可能に保持する。
【００１８】
さらに、電源基板１５は、図１３に示すように、電池ボックス１０の電池（例えば７．２Ｖ）１３が電池接点１４を介して接続される。電源基板１５には、電源制御ＩＣ１５０、及び電池電圧を、カメラ内部で使われるＩＣや回路の動作仕様に応じた電圧に変換する複数の電源回路１５１〜１５８が実装されている。
【００１９】
電源制御ＩＣ１５０は、カメラ本体のメインマイコン（ＣＰＵ）からの指示により、各電源回路１５１〜１５８を個別にオンオフ制御することができる。各電源回路１５１〜１５８は、電源制御ＩＣ１５０により各電源電圧をフィードバック制御される。
【００２０】
電源回路（Ｖctrl）１５１は、電源オフ中でも動作させるＩＣ、例えばパワースイッチを検出するためのメインマイコンや、カレンダー機能を動作させるカウンター等のＩＣに常時電流を供給する。電源回路（Ｖcore）１５２は、メインマイコンに制御されてオンオフ動作をする回路で、メインマイコン以外のマイコンやＩＣのコアに電流を供給するための電圧を発生させる。
【００２１】
電源回路（Ｖdigi）１５３は、メインマイコンに制御されてオンオフ動作をする回路で、メインマイコン以外のマイコンやＩＣの入出力部（Ｉ／Ｏ）に電流を供給するための電圧を発生させる。電源回路（Ｖcf）１５４は、カメラに装着されるメディアに電流を供給するための電圧を発生させる。電源回路（Ｖld）１５５は、カメラに装着されるレンズの駆動モータに電流を供給するための電圧を発生させる。
【００２２】
電源回路（Ｖsensor）１５６は、ＡＦセンサやＡＥセンサ等のセンサ類の駆動電流を供給するための電圧を発生させる。ＡＦセンサやＡＥセンサ等のセンサは、特にノイズに弱いため、マイコンやＩＣとは電源系統を分けて、ノイズの少ない電源電流を供給する必要がある。電源回路（Ｖtft）１５７は、撮影後の画像をカメラ背面にあるＴＦＴ液晶パネルの制御ＩＣに電力を供給する。さらに、電源回路（Ｖccd）は、撮像素子であるＣＣＤに電力供給する。
【００２３】
以上のように電源基板１５には、複数の電源回路１５１〜１５８が実装されている。各電源回路１５１〜１５８の入力側には、それぞれヒューズ（チップヒューズ）２００が接続されている。本実施形態では、これらの複数のヒューズ２００は、前述したヒューズ基板（ヒューズユニット）２０に実装されている。
【００２４】
（ヒューズ基板の構造）
図１（Ｃ）に示すように、電源基板１５には、ソケット１６が設けられている。当該ソケット１６により、電源基板１５とヒューズ基板２０とが接続される。
【００２５】
ヒューズ基板２０は、図１１（Ａ），（Ｂ）に示すように、両面型硬質基板であり、各片面のそれぞれに複数個のチップヒューズ２００及び接続用配線パターン２１０が実装されている。図１１（Ｂ）は側面図である。
【００２６】
ヒューズ基板２０は、側面部に切り欠き部２２０が形成されている。図１４に示すように、ヒューズ基板２０は、電源基板１５に設けられたソケット１６に差し込まれることにより、電源基板１５に電気的に接続される。ここで、電源基板１５には、２箇所に爪部材１５９（片方は図示せず）が設けられている。ヒューズ基板２０は、ソケット１６に差し込まれてから、電源基板１５の下方向に押さえ込れることで、当該爪部材１５９に切り欠き部２２０が係合してロックされる。
【００２７】
なお、図１４では、ヒューズ基板２０が電源基板１５と平行に接続されるように、ソケット１６が設けられている。図１５に示すように、電源基板１５の基板面に対してヒューズ基板２０が垂直方向に接続されるように、ソケット１６が設けられていてもよい。ソケット１６の取り付けについては、カメラ本体の中での電源基板１５のレイアウトと、ヒューズ基板２０を出し入れするための挿入口のレイアウトとの関係で決められる。
【００２８】
さらに、ヒューズ基板２０は、両面型硬質基板以外に、片面型のフレキシブル基板で構成されてもよい（図１２（Ａ），（Ｂ）を参照）。フレキシブル基板からなるヒューズ基板２０の場合には、図１６に示すように、ソケット１６を使用することなく、電源基板１５上に半田１７０により接続することが可能である。このような接続方法であれば、ソケット１６を実装するスペースがない場合に有効である。
【００２９】
その他に、ソケット（コネクタ）１６を使用しない接続方法として、図１７に示すように、フレキシブル基板で構成されるヒューズ基板２０と電源基板１５の対面するパターン１９３，１９４同士を圧接して接続する方法がある。即ち、カメラ本体１８０に設けられたボス１９５と、ビス１９０、ワッシャ１９１、シリコンゴムワッシャ１９２を使用して、ヒューズ基板２０の裏面に設けられたパターン１９３と、電源基板１５上に設けられたパターン１９４とを圧接させる接続方法である。
【００３０】
（電池室の構造）
再度、図１を参照して、カメラ本体に設けられた電池室１１の構造を説明する。
【００３１】
図１（Ａ）に示すように、電源基板１５は、電池室１１の傍にレイアウトされることが好ましい。一般的に、電池１３に近い位置に、電源回路がレイアウトされると、配線抵抗などによるエネルギーロスが少なくて効率的である。
【００３２】
電池室１１と、電源基板１５との間である電池室１１の側壁部１１０には、開口部（窓）１２０が形成されている。この開口部１２０は、電源基板１５にソケット１６を介して取り付けられたヒューズ基板２０を出し入れできる位置に設けられている。
【００３３】
さらに、開口部１２０には、図１（Ｄ）に示すように、ヒューズカバー（ヒューズ蓋）１２１が取り外し可能に設けられている。ヒューズカバー１２１には、開口部１２０に係合する爪１２２が設けられている。このヒューズカバー１２１により、ユーザが誤ってヒューズ基板１５を取り出したり、また、ユーザが誤って金属片などを接触して回路がショートしたり、異物が混入して電源基板１５上の回路がショートするような事態を回避できる。
【００３４】
ヒューズカバー１２１は開閉可能に取り付けられている。このヒューズカバー１２１を開けると、ヒューズ基板２０が露出するため、ソケット１６から取り外しが可能となる。従って、例えば電源回路の異常で、ヒューズ２００が壊れた場合には、ユーザは簡単に自分でヒューズ基板２０を交換できる。また、カメラメーカのサービスカウンタなどにおいて、修理をする際にも簡単にヒューズ基板２０の交換が可能となる。
【００３５】
その他に、ヒューズカバー１２１の材質を樹脂にして、図１（Ｅ）に示すように、電池室１１の壁１１０と一体にヒンジ１２３を成型する方法がある。片側をヒンジ１２３にしておき開閉自在にすることも可能である。この場合には、ヒューズカバー１２１を開けたときに、ヒューズ基板２０の挿抜作業がしやすいように、開口部１２０が電池室１１の開口部の方向になるようにする。設計上の都合で、図１（Ｅ）に示すような構造にならない場合でも、図１（Ｆ）に示すような構造でもよい。この場合、ヒューズカバー１２１のヒンジ１２３の方向を電池室１１の開口部と同じ向きにしない。
【００３６】
以上のように第１の実施形態のヒューズ取り付け構造であれば、開口部１２０からヒューズ基板２０を容易に交換することができる。また、開口部１２０は、カメラ本体の電池室１１の内部に設けられており、また、カバー１２１を取り付けることにより、ユーザが不用意にヒューズ基板２０を取り外したり、異物が電源基板１５に混入してショートするような事態を回避できる。さらに、ヒューズ基板２０を、カメラ本体の内部に配置するため、外観上の構造には影響しないため、カメラ本体の小型化を阻害することもない。
【００３７】
（第２の実施形態）
図３は第２の実施形態に関する図であり、カメラのグリップ２付近を後方から見た図である。
【００３８】
本実施形態は、ヒューズ基板２０の挿抜を行なうための開口部１３０を、画像を記録するためのメディアを挿抜するカードスロット１４０の近傍にレイアウトした構造である。
【００３９】
グリップ２の前方側の内部に電池室１１、後方側の側面にカードスロット１４０が配置されている。カードスロット１４０は、開閉するカード蓋１によりカバーされている。カード蓋１が開けられると、画像データを記録するための記録媒体であるメモリカードなどのメディアを挿抜するためのカードスロット１４０が露出する。カードスロット１４０には、装着されたメディアを取り出すためのカードイジェクタ１４１が設けられている。
【００４０】
本実施形態では、カード蓋１に保護される側面に、当該カードスロット１４０と平行してヒューズ基板２０の挿抜を行なうための開口部１３０が、カードスロット１４０と電池室１１との間に設けられている。なお、電源基板１５は、第１の実施形態と同様に、電池室１１の背面に設けられている。電池室１１には、図３（Ｂ）に示す電池ボックス１０が収納される。
【００４１】
ここで、開口部１３０には、図３（Ｃ）に示すように、異物が入ることを防止するために、ビニールテープ１３１を貼付するようにしてもよい。また、図１（Ｄ）に示すようなヒューズカバー（ヒューズ蓋）を設けてもよい。
【００４２】
図４は、本実施形態の変形例を示す図である。本変形例は、電源基板１５が、カメラ本体の底面に、水平状態でレイアウトされている場合に、これに合わせてヒューズ基板２０の開口部１３０を水平に設けた構造である。
【００４３】
以上のように第２の実施形態のヒューズ取り付け構造によれば、開口部１３０からヒューズ基板２０を容易に交換することができる。また、開口部１３０は、カードスロット１４０と共に、カメラ本体の内部に設けられており、テープ１３１が貼られていれば、ユーザが不用意にヒューズ基板２０を取り外したり、異物が電源基板１５に混入してショートするような事態を回避できる。さらに、ヒューズ基板２０を、カメラ本体の内部に配置するため、外観上の構造には影響しないため、カメラ本体の小型化を阻害することもない。
【００４４】
（第３の実施形態）
図５は、第３の実施形態に関する図であり、カメラの底面から見た図である。
【００４５】
本実施形態は、カメラ本体の底面に、ヒューズ基板２０の挿抜を行なうための開口部１６０及びヒューズカバー１６１を設けた構造である。本実施形態では、電源基板１５は、電池室１１に対して垂直、かつカメラ本体の底面に対して垂直にレイアウトされた場合である。
【００４６】
図６は、本実施形態の変形例を示す図である。本変形例は、電源基板１５が、カメラ本体の底面に対して平行にレイアウトされている場合である。本変形例では、ヒューズカバー１６２は、簡単に開かないように、爪で止めるのではなくネジ１６３で止めるように構成されている。
【００４７】
以上のように第３の実施形態のヒューズ取り付け構造によれば、開口部１６０からヒューズ基板２０を容易に交換することができる。この場合、開口部１６０はカメラ本体の底面に設けられるため、開閉可能なヒューズカバー１６１，１６２により保護されている。カメラの底面は、埃やゴミにさらされ易い部分であるため、当該ヒューズカバー１６１，１６２により確実にヒューズ基板２０を保護できる。また、ユーザが不用意にヒューズ基板２０を取り外したり、異物が電源基板１５に混入してショートするような事態を回避できる。さらに、ヒューズ基板２０を、カメラ本体の内部に配置するため、外観上の構造には影響しないため、カメラ本体の小型化を阻害することもない。
【００４８】
（第４の実施形態）
図７、図８、図９は、第４の実施形態に関する図であり、鏡枠４を外した場合に、カメラ本体を正面から見た図である（図２を参照）。
【００４９】
図７に示すように、ポップアップストロボ８６０の下側に、カメラ本体のレンズマウント７７０が設けられている。このレンズマウント７７０の内側には、ミラー７４０を有するミラーボックス７５０、及び交換レンズのモータやマイコン等と接続するためのコネクタ７６０が設けられている。本実施形態は、ミラーボックス７５０の周囲に、ヒューズ基板２０の挿抜を行なうための開口部７１０、７２０、７３０のいずれかを設けた構造である。この形態では、開口部以外の形状は同一のために、図７では、３通りの位置にある開口部を１枚の図に合成している。開口部７１０は、ミラーボックス７５０の横に設けられたものである。
【００５０】
図８は、側面断面図を示すもので、ミラーボックス７５０の下側に、開口部７２０を設けた構造を示す。図８に示すように、ミラーボックス７５０下には、一般的に、クイックリターンミラー７４０の一部から透過した光束が、サブミラー７８０で折り返され、ミラーボックス下に設けられた、ＡＦ光学系７９０を通り、ＡＦセンサ８００に導かれるようなＡＦユニットが設けられている。
【００５１】
ここで、クイックリターンミラー７４０は、交換レンズ８１０からの光をシャッターユニット８２０を介してＣＣＤ８３０に入力する。また、クイックリターンミラー７４０は、交換レンズ８１０からの光をピントグラス８４０を介してプリズム８５０に反射させる。
【００５２】
本実施形態では、ヒューズ基板２０は、開口部７２０から中継基板８７０上に実装されているソケット１６に接続される構造である。中継基板８７０は、フレキシブルケーブル８８０を介して電源基板１５（図１を参照）に接続されている。中継基板８７０は、ＡＦユニットの下側に確保された僅かなスペースに、例えば傾斜させた状態で設けられる。なお、スペース上の問題がなければ、中継基板８７０ではなく、電源基板１５を配置させてもよい。
【００５３】
図９は、側面断面図を示すもので、ミラーボックス７５０の下側で、かつ垂直方向に開口部７３０を設けた構造を示す。この場合も、ヒューズ基板２０は、開口部７３０から中継基板９００上に実装されているソケットに接続される構造である。中継基板９００は、フレキシブルケーブル９１０を介して電源基板１５（図１を参照）に接続されている。
【００５４】
以上のように第４の実施形態のヒューズ取り付け構造によれば、開口部７１０，７２０，７３０のいずれからもヒューズ基板２０を容易に交換することができる。この場合、開口部７１０，７２０，７３０は、レンズマウント７７０の内側は、レンズを装着すると、隠れて見えないために保護される。従って、ユーザが不用意にヒューズ基板２０を取り外すようなことはない。また、通常使用時には、レンズの内部に配置されるため、外観上の構造には影響しないため、カメラ本体の小型化を阻害することもない。さらに、レンズによりカバーされる構造であるため、ヒューズカバーのような部材は不要である。
【００５５】
（第５の実施形態）
図１０は、第５の実施形態に関する図であり、ヒューズ基板２０の開口部９２０をグリップゴム９１０の下側に配置させた構造、または開口部９３０を銘板９４０の下側に配置させる構造を示す。なお、電源基板１５及びソケット１６に関する構造は、図１に示すものと同様である。また、開口部９３０に関しては、第４の実施形態での中継基板を使用する構造でもよい。
【００５６】
ここで、グリップ２のグリップゴム９１０または型番やメーカーロゴのような銘板９４０は、両面テープや弱い接着剤、ビス等で止められることが多い。
【００５７】
このような構造であれば、一般ユーザには、ヒューズ基板２０の存在がわからないようにすることができる。換言すれば、ヒューズ基板２０の開口部を、カメラ本体の外観が損なわないように隠すことが可能である。
【００５８】
一般的に、ヒューズ基板２０の挿抜は、一般使用時には行なわれず、故障した場合に、サービスカウンターなどの修理の際に行なわれ場合が多い。従って、必ずしもユーザにはわからなくても良く、両面テープで外装に接着されているグリップゴム９１０の下や、銘板９４０の下側に隠すことにより、カメラの外観デザイン面での利点が得られる。
【００５９】
なお、各実施形態では、カメラに適用した場合について説明したが、例えば携帯電話、ＰＤＡ、情報端末装置等の携帯情報機器のヒューズ取り付け構造にも適用可能である。
【図面の簡単な説明】
【００６０】
【図１】本発明の第１の実施形態に関するカメラの底面から見た図。
【図２】第１の実施形態に関するカメラの全体的外観を示す図。
【図３】第２の実施形態に関するカメラの部分的外観を示す図。
【図４】第２の実施形態の変形例に関するカメラの部分的外観を示す図。
【図５】第３の実施形態に関するカメラの部分的外観を示す図。
【図６】第３の実施形態の変形例に関するカメラの部分的外観を示す図。
【図７】第４の実施形態に関するカメラの部分的外観を示す図。
【図８】第４の実施形態に関する側面断面図。
【図９】第４の実施形態に関する側面断面図。
【図１０】第５の実施形態に関するカメラの部分的外観を示す図。
【図１１】第１の実施形態に関するヒューズ基板の構造を説明するための図。
【図１２】第１の実施形態に関するヒューズ基板の変形例を説明するための図。
【図１３】第１の実施形態に関する電源基板の回路図。
【図１４】第１の実施形態に関するソケットの取り付け例を示す図。
【図１５】第１の実施形態に関するソケットの他の取り付け例を示す図。
【図１６】第１の実施形態に関するヒューズ基板の接続方法の変形例を示す図。
【図１７】第１の実施形態に関するヒューズ基板の接続方法の他の変形例を示す図。
【符号の説明】
【００６１】
１…カード蓋、２…グリップ部、３…レリーズボタン、４…鏡枠、５…撮影レンズ、
１０…電池ボックス、１１…電池室、１２…電池蓋、１５…電源基板、
１６…ソケット、２０…ヒューズ基板（ヒューズユニット）、
１２０，１３０，１６０，７１０，７２０，７３０，９２０，９３０…開口部、
１２１…ヒューズカバー、２００…ヒューズ。
【図１】
2005055696.tif 000003
【図２】
2005055696.tif 000004
【図３】
2005055696.tif 000005
【図４】
2005055696.tif 000006
【図５】
2005055696.tif 000007
【図６】
2005055696.tif 000008
【図７】
2005055696.tif 000009
【図８】
2005055696.tif 000010
【図９】
2005055696.tif 000011
【図１０】
2005055696.tif 000012
【図１１】
2005055696.tif 000013
【図１２】
2005055696.tif 000014
【図１３】
2005055696.tif 000015
【図１４】
2005055696.tif 000016
【図１５】
2005055696.tif 000017
【図１６】
2005055696.tif 000018
【図１７】
2005055696.tif 000019